(57)【要約】【課題】患者からの処方要求によって無為無策に処方することは患者への過剰処方につながる恐れがあり、さらに処方を行った薬は処方後患者の自己管理での服用となるため過剰服用を引き起こす可能性があるため、ネットワークを介して、診療を行わず処方が可能となる場合においては、特に処方薬の管理を確実に実施し、たとえ長期間服用している常用薬においても、医師が許可した薬を、医師が指示した時期に処方することが必要であり、患者が的確な服用を行うための、安全な薬の処方方法が求められている。【解決手段】本発明は、患者の処方情報と該処方情報毎の有効期間とを登録する登録手段と、前記処方情報の取得依頼情報を所定の端末から受信する手段と、現在日付が前記処方情報の有効期間内であるかチェックする判定手段と、前記判定手段において、有効期間内である場合に前記処方情報を前記所定の端末へ送信する送信手段と、を備えることで上記課題を解決するものである。【選択図】　　　　　　　　図１
2004029985.tif 000002
【特許請求の範囲】
【請求項１】
患者の処方情報と該処方情報毎の有効期間とを登録する登録手段と、
前記処方情報の取得依頼を所定の端末から受信する手段と、
現在日付が前記処方情報の有効期間内であるかチェックする判定手段と、
前記判定手段において、有効期間内である場合に前記処方情報を前記所定の端末へ送信する送信手段と、
を備えることを特徴とする薬品処方装置。
【請求項２】
前記登録手段において、前記処方情報の処方が可能な回数である処方限度回数を登録し、
前記判定手段は、前記処方情報の処方回数が前記処方限度回数に達していないかチェックすることを特徴とする請求項１記載の薬品処方装置。
【請求項３】
前記登録手段において、前記処方情報の処方が可能な間隔である処方間隔を登録し、
前記有効期間は、前回前記処方情報の処方を行った日と前記処方間隔とを基に生成することを特徴とする請求項１から２のいずれか１項に記載の薬品処方装置。
【請求項４】
前記送信手段において、前記有効期間の開始日が現在日付以降の処方情報と該有効期間とを送信することを特徴とする請求項１から３のいずれか１項に記載の薬品処方装置。
【請求項５】
前記医療関係機関の端末から前記患者へ処方した薬品の引渡しが完了したことを表す処方完了情報を受信し登録することを特徴とする請求項１から４いずれか１項に記載の薬品管理装置。
【発明の詳細な説明】
【０００１】
【発明の属する技術分野】
本発明は服用者へ処方する薬品の処方装置に関する。
【０００２】
【従来の技術】
通常、病院などの医療機関から患者に処方される薬は、医師による処方箋の交付が行われた後、患者は交付された処方箋を調剤薬局に提出し、処方された薬を受け取る。つまり、患者は薬をもらうために医療機関に出向き、医師に処方箋を書いてもらう必要がある。
【０００３】
しかし、特定の症状を伴わず慢性的な疾患によって、例えば予防のために継続した服用が必要な場合においても、患者は前回処方された薬が切れる前に医療機関に出向き、定期的に上述したような手順を踏み、薬を受け取らなくてはならないため、時間的、身体的な負担が生じていた。
【０００４】
一方、昨今のインターネットの普及により、ネットワークを使用して医療機関と調剤薬局との間で処方箋情報を授受することにより、時間的、身体的な患者負担を軽減する処方方法がある。
【０００５】
このような従来の処方方法については、例えば、特開２００１−３５７１２７に開示されている。
【０００６】
上記開示例では、インターネットを介して、患者が病院へ処方箋発行の要求を行い、病院から調剤薬局へ処方箋情報を送信することで、患者の通院ロスの削減を行っている。
【０００７】
【発明が解決しようとする課題】
上記従来の技術は、患者からの処方要求に対して処方の可否チェックを行わず、要求に応じて処方箋を発行し、患者へ薬を提供するものであった。
【０００８】
しかし、患者からの処方要求によって無為無策に処方することは患者への過剰処方につながる恐れがあり、さらに処方を行った薬は処方後患者の自己管理での服用となるため過剰服用を引き起こすことにもなりかねない。つまり、ネットワークを介して、診療を行わず処方が可能となる場合においては、特に処方薬の管理を確実に実施し、たとえ長期間服用している常用薬においても、医師が許可した薬を、医師が指示した時期に処方することが必要であり、患者が的確な服用を行うための、安全な薬の処方方法が求められている。
【０００９】
【課題を解決するための手段】
本発明は、患者の処方情報と該処方情報毎の有効期間とを登録する登録手段と、前記処方情報の取得依頼情報を所定の端末から受信する手段と、現在日付が前記処方情報の有効期間内であるかチェックする判定手段と、前記判定手段において、有効期間内である場合に前記処方情報を前記所定の端末へ送信する送信手段と、を備えることで上記課題を解決するものである。
【００１０】
【発明の実施の形態】
本発明の第一の実施例の形態に係るシステム概要を、図１を用いて説明する。図１の薬品処方装置１０１は、病院や薬局といった医療関係機関１１６の施設内もしくは医療関係機関１１６の施設とは別の場所に設置され、患者１１７へ薬の処方を行う機能を有するものである。
【００１１】
薬品処方装置１０１の外部記憶装置には、患者１１７の基本情報を格納する患者ファイル１１０と、患者単位の処方毎の処方条件を格納する処方条件テーブル１１１と、患者単位の処方毎の管理情報を格納する処方管理ファイル１１２と、処方する薬品の情報を格納する薬情報ファイル１１３と、薬品の処方を行う薬局の情報を格納する薬局ファイル１１４とが含まれる。さらに患者ファイル１１０に患者の基本情報を登録する患者情報登録プログラム１０３、処方管理ファイル１１２と薬情報ファイル１１３に、処方情報を登録する処方情報登録プログラム１０４、処方条件テーブル１１１に処方に関する条件の設定を登録する処方条件登録プログラム１０５、患者の端末へ表示する処方情報の表示判定処理を行う表示情報判定プログラム１０６、患者１１７が処方の依頼した処方情報を医療関係機関１１６へ公開する処方情報公開プログラム１０７、処方箋の表示を行う処方箋表示プログラム１０８、処方が完了し患者１１７へ薬の引渡しが完了した完了登録を行う処方官僚登録プログラム１０９も含まれる。
【００１２】
上記のようにこれらのプログラムは、薬品処方装置１０１の外部記憶装置に格納されているが、各プログラム実行時には内部記憶装置に読み出され、必要に応じて上記患者ファイル１１０と処方条件テーブル１１１と処方管理ファイル１１２と薬情報ファイル１１３と薬局ファイル１１４とを参照、更新する。
【００１３】
また、外部記憶装置には、患者１１７や医療関係機関１１６がネットワーク１１５を介し情報を参照、登録するためのＨＴＭＬ（Ｈｙｐｅｒ　Ｔｅｘｔ　Ｍａｒｋｕｐ　Ｌａｎｇｕａｇｅ）１０２も含まれる。
【００１４】
なお、薬品処方装置１０１と医療関係機関１１６と複数の患者１１７の端末はネットワーク１１５を介し接続されている。
【００１５】
次に図１で説明したシステム概要を踏まえ、本発明の第一の実施例の形態に係る処理関係を、図２を用いて説明する。
【００１６】
医師が患者２０１へ処方する処方情報および処方条件を端末より入力する（２０４）。
【００１７】
例えば定期的に通院し、予防薬などを常用している患者２０１が診察にきた時、医師の判断により次回は診察せず、薬のみの処方を許可した場合、医師が薬の処方情報と当該処方情報の処方条件とを入力する。
【００１８】
患者２０１は、前回の来院で医師による診察を受け処方された薬の残量が残り少なくなると、新たに前回と同様の薬の処方を依頼するため、端末から薬品処方装置２０２へアクセスを行い、薬品処方装置２０２は当該患者２０１の処方情報を患者の端末へ送信する（２０５）。
【００１９】
この時、患者の端末へ送信する処方情報は、過剰処方を回避するため医師が決定した処方条件を基に処方情報のチェックを行い必要な処方情報のみを送信する。
【００２０】
患者２０１は受信し端末に表示された処方情報の中から、処方の依頼を行う処方情報を選択し、処方依頼情報を薬品処方装置２０２へ送信する。
【００２１】
薬品処方装置２０２は、患者の端末から処方依頼情報を受信すると（２０６）、処方の依頼を受理した処方情報の処方番号を患者の端末へ送信する（２０７）とともに、依頼を受けた処方情報に対して、調剤薬局への公開処理を行う（２０８）。
【００２２】
処方番号とは、処方単位のユニークな番号であり、処方情報を特定するものである。
【００２３】
処方依頼が終了すると、患者２０１は、調剤薬局のうち最寄りの調剤薬局２０３へ出向き、個人の認証情報、例えば診察券などと一緒に薬品処方装置２０２から通知された処方番号を提示する（２０９）。
【００２４】
提示を受けた薬剤師は、端末から患者の患者番号と該当処方番号とを入力して薬品処方装置２０２より処方箋情報を受信する（２１０）。
【００２５】
薬剤師は、受信した処方箋情報を基に、薬の処方を行い患者２０１に引き渡す（２１１）。
【００２６】
患者２０１へ薬の引渡しが終わると、薬剤師は端末から処方完了情報を薬品処方装置２０２へ送信する（２１２）。
【００２７】
次に図２で説明した処理概要を踏まえ、図３〜４のファイル構造を用いて本発明の第一の実施例の形態に係るファイル構造の説明をする。
【００２８】
図３に示すファイル構造は、患者の基本情報を格納する患者ファイル３０１と、薬の処方を行う調剤薬局などの情報を格納する薬局ファイル３０２と、患者単位で処方毎に設定された処方条件を格納する処方条件テーブル３０３である。
【００２９】
患者ファイル３０１は、患者番号、患者氏名、生年月日、性別、メールアドレス、パスワードを保持している。パスワードは患者が端末から薬品処方装置へアクセスを行う際に必要となる認証情報であり、例えば患者番号と、対応するパスワードとをアクセス時の認証情報とする。
【００３０】
薬局ファイル３０２は、薬局を識別するための識別情報であるコード、パスワード、薬局名、住所、電話番号、メールアドレスを保持している。
【００３１】
パスワードは調剤薬局の薬剤師が端末から薬品処方装置へアクセスをする際に必要となる認証情報であり、例えばコードと、対応するパスワードとをアクセス時の認証情報とする。
【００３２】
処方条件テーブル３０３は、患者番号、処方番号、処方の最大限度回数である処方限度回数、処方に必要な処方間隔を保持している。
【００３３】
図４に示すファイル構造は、患者の処方毎の管理情報を格納する処方管理ファイル４０１と、処方する薬の情報を格納する薬情報ファイル４０２である。
【００３４】
処方管理ファイル４０１は、患者番号、処方番号、同一の処方情報を複数回処方した場合の識別情報である処方シーケンス番号、処方した診療科名、処方情報の有効期間、患者が処方依頼を行った日である処方依頼日、処方した薬を患者へ引渡した日である処方日を保持している。
【００３５】
薬情報ファイル４０２は、患者番号、処方番号、同一処方情報内で複数の薬品がある場合の識別情報である薬シーケンス番号、薬品名、処方量、単位、用法、服用日数を保持している。
【００３６】
次に図５のフローチャートを用いて本発明の第一の実施例の形態に係るメイン処理を説明する。
【００３７】
医療関係機関に属する医師が担当患者へ処方する処方情報および処方条件を登録する処方情報登録処理Ｓ５０１を行う。
【００３８】
次に、患者は前回の来院で医師による診察を受け処方された薬の残量が残り少なくなると、新たに前回と同様の薬の処方を依頼するため、処方表示処理Ｓ５０２を行う。
【００３９】
処方表示処理Ｓ５０２を行った後エラー判定を行い（Ｓ５０３）、エラーである場合は以後のステップを行わず処理を終了し、エラーでない場合は処方処理Ｓ５０４を行う。
【００４０】
次に図６のフローチャートを用いて図５のステップＳ５０１に示す処方登録処理の説明をする。
【００４１】
薬品処方装置にネットワークで接続された端末から、医師は患者へ処方する薬品の処方情報を入力する（Ｓ６０１）。
【００４２】
処方情報とは、処方の管理情報および処方する薬品の情報であり、主に図４に示す薬情報ファイル４０２の項目である薬品名、処方量、単位、用法、服用日数といった情報である。
【００４３】
なお、処方番号および薬シーケンス番号については、連番が自動付番される。
【００４４】
次に、医師は入力した処方情報に対する処方条件の設定を行う（Ｓ６０２）。
【００４５】
処方条件とは処方情報に関する条件であり、図３に示す処方条件テーブル３０３の項目である処方限度回数、処方間隔（日）、図４に示す処方管理ファイル４０１の項目である有効期間といった情報である。
【００４６】
なお、処方管理ファイル４０１の項目の診療科名は入力する端末の初期設定であり、処方番号および処方シーケンス番号については、連番が自動付番される。
【００４７】
図１５の１５０１は処方条件設定画面の一例であり、図６のステップＳ６０１で入力された処方情報に対する処方条件を設定する。
【００４８】
なお、当該処方条件設定画面は薬品処方装置で生成されたＨＴＭＬ形式のデータを端末に送信することで端末画面上に表示させても良い。
【００４９】
処方情報の入力および処方条件の設定が終了すると、例えば図１５の１５０１に示す処方条件設定画面の「登録」のボタンを押下し、図６のステップＳ６０１で入力された処方情報およびステップＳ６０２で設定された処方条件とを、それぞれ図４に示す薬情報ファイル４０２と処方管理ファイル４０１および図３に示す処方条件テーブル３０３とに格納する（Ｓ６０３）。
【００５０】
なお、処方情報および処方条件を入力する場合は、専用の入力画面があることが望ましい。さらには、医師が診療内容を入力するオーダリングシステムや電子カルテシステムなどといった診療支援システムを使用して、過去の処方履歴を参照／コピーすることで登録できることが望ましい。
【００５１】
次に図７のフローチャートを用いて図５のステップＳ５０２に示す処方表示処理の説明をする。
【００５２】
まず患者は、処方の依頼を行うために、対象の処方情報を端末に表示するよう薬品処方装置へ依頼をする。
【００５３】
薬品処方装置は、ネットワークを介して患者の端末から処方情報の取得依頼を受信する（Ｓ７０１）。
【００５４】
薬品処方装置は、患者の端末から取得依頼を受信すると、対象患者の処方情報をチェックする表示情報判定処理Ｓ７０２を行う。
【００５５】
表示情報判定処理Ｓ７０２を行った結果、ステップＳ７０３で表示対象の処方情報が存在しないと判定された場合、患者の端末へ処方対象の処方情報が無い旨表示させ（Ｓ７０８）、以後の処理を終了する。
【００５６】
ステップＳ７０３で表示対象の処方情報が存在すると判定された場合は、処方情報の処方状態や有効期間に応じて表示する処方情報を編集し、当該編集した処方情報を患者の端末へ送信して処方情報の選択画面を端末に表示する表示処理Ｓ７０４を行う。
【００５７】
図１６に示す１６０１は、表示処理Ｓ７０４の結果、患者の端末画面上に表示された処方情報表示画面の一例である。
【００５８】
表示された画面について図１６の１６０１を用いて詳細に説明する。
【００５９】
図１６の１６０１の画面は、患者番号０００００１番の「鈴木　春子」の処方情報を患者の端末画面上に表示したものである。右上に表示されている日付は、現在日付を表示しており、処方情報は１６０２、１６０３および１６０４の３つが表示されている。
【００６０】
表示されている３つの処方情報は、医師によって登録された単位つまり処方単位で表示されている。
【００６１】
表示内容は、処方した診療科、処方薬と処方日数、服用時の用法を表示し、さらに最下部には当該処方情報の有効期間を表示している。
【００６２】
有効期間は、当該処方情報について処方が可能である期間のことであり、有効期間内でない場合には処方を行うことができない。
【００６３】
詳細には、一番上の処方情報１６０２の左端に表示されているチェックボタンおよび「選択」の表示は、１６０２の処方情報が選択可能つまり、処方依頼が可能であることを意味する。
【００６４】
つまり、１６０２の処方情報は、２００２年６月５日現在で処方有効期間の範囲内であるため、該処方情報の左側にチェックボタンおよび「選択」が表示され、処方依頼が可能となっている。
【００６５】
なお、１６０３については処方有効期間の開始年月が２００２年６月２４日となっているため、左側にチェックボタンおよび「選択」の表示はされず、処方依頼を行うことができない。
【００６６】
１６０４については、既に２００２年６月３日に患者が処方依頼を行っており、現在患者へ薬の引き渡し待ちの状態であることを意味する。
【００６７】
なお、処方情報の表示方法については、後述する表示情報判定処理Ｓ７０２および表示処理Ｓ７０４の説明で詳細に説明する。
【００６８】
患者は、例えば図１６の１６０１に示す処方情報の一覧が表示されると、処方依頼が可能な処方情報の中から処方を希望する処方情報を選択し、処方依頼を行うか処理を中止する（Ｓ７０５）。
【００６９】
薬品処方装置は、患者から処方依頼をされると、依頼のあった処方情報を調剤薬局へ公開する処方情報公開処理Ｓ７０６を行う。
【００７０】
処方情報公開処理Ｓ７０６が終了すると薬品処方装置は、処方管理ファイル４０１から処方情報公開処理Ｓ７０６を行った処方情報の処方番号を抽出し、ネットワークを介して患者の端末へ送信し画面上に表示するかもしくは、患者ファイル３０１に格納されている当該患者のメールアドレスへネットワークを介して処方番号を送信する処方番号通知処理Ｓ７０７を行う。
【００７１】
次に図８〜１０のフローチャートを用いて図７のステップＳ７０２に示す表示情報判定処理の説明をする。
【００７２】
薬品処方装置は、患者の端末からネットワークを介して処方情報の取得依頼を受信すると、処方管理ファイル４０１から当該患者の処方情報を抽出する（Ｓ８０１）。
【００７３】
次にステップＳ８０１で抽出した対象患者の処方管理レコードから同一の処方番号のレコードを抽出する（Ｓ８０３）。
【００７４】
ここで、図４の４０１に示す処方管理ファイルの一例を用いて動作を補足する。
【００７５】
ステップＳ８０１で抽出したレコードとは、図４の４０１に示す処方管理レコードの上から１番目と２番目、または３番目、または４番目のことであり、同一の処方番号で抽出されたものである。
【００７６】
なお、処方管理ファイル４０１の患者番号「０００００１」、処方番号「０１００」については、処方シーケンス番号が異なる２つのレコードが存在するが、これは処方番号が「０１００」である同一の処方情報を異なる時期に複数回処方することを表している。
【００７７】
つまり、処方番号「０１００」、処方シーケンス番号「１」のレコードは処方依頼日に「２００２年５月７日」、処方日に「２００２年５月８日」が記憶されていることから、既に２００２年５月７日に患者からの処方依頼情報を受信し、２００２年５月８日に処方を終了していることを意味しており、処方シーケンス番号「２」のレコードは処方依頼日、処方日ともに初期値であるため、患者からの処方依頼および薬の処方はまだ行われていないことを意味している。
【００７８】
次に、ステップＳ８０３で処方番号での抽出、すなわち図４の４０１に示す、患者番号「０００００１」、処方番号「０１００」である２つのレコードの抽出が終了すると、薬品処方装置は処方有効期間チェック処理Ｓ８０４を行う。
【００７９】
図９のフローチャートに示す処方有効期間チェック処理では、抽出した各処方管理レコードの、薬の処方を行い患者へ薬の引き渡しが完了しているか否かを表す項目である処方日を参照し、未処方であるレコード、つまり処方日が初期値であるレコードを抽出する（Ｓ９０１）。
【００８０】
すなわち、図４の４０１に示す、処方番号「０１００」、処方シーケンス番号「２」のレコードを抽出する。
【００８１】
なお、処方管理ファイルの処方日の更新処理については、後述する処方完了処理で説明する。
【００８２】
ステップＳ９０１において未処方のレコードを抽出した結果、未処方のレコードが存在するか否かの判定を行い（Ｓ９０２）、存在する場合は、抽出した未処方のレコードの読み込みを行い（Ｓ９０４）、存在しない場合は、処方限度回数チェック処理Ｓ９０７を行う。
【００８３】
未処方のレコードが存在する場合、当該レコードの有効期間を参照し、有効期間の終了日と現在日付との比較を行い（Ｓ９０５）、その結果、有効期間の終了日が現在日付より前であった場合、つまり既に処方の有効期間が終了している場合は、以後の処理を行わずステップＳ９０３に戻る。
【００８４】
ステップＳ９０５で有効期間の終了日が現在日付以降であった場合、つまり現時点で有効期間の範囲であるかもしくは今後有効期間となる場合は、表示対象のレコードであるため処方管理ファイルの当該レコードを格納し（Ｓ９０６）、ステップＳ９０３へ戻る。
【００８５】
つまり、図４の４０１に示す、処方番号「０１００」、処方シーケンス番号「２」のレコードを格納する。
【００８６】
ステップＳ９０３は、抽出した全ての未処方のレコードについて処理が終了したか否かの判断を行い、未処理のレコードがある場合は、全てのレコードについて処理が終了するまでステップＳ９０４〜Ｓ９０６を繰り返し、全てのレコードの処理が終了した場合は以後の処理を終了する。
【００８７】
次に、ステップＳ９０２で未処方のレコードが存在しないと判断された場合について説明する。
【００８８】
未処方のレコードが存在しない場合、つまり現時点で薬の引き渡しまで終了していない処方情報が無い場合、今まで当該処方情報が処方された回数のチェックを行い、今回処方が可能であるか否かを判定する処方限度回数チェック処理Ｓ９０７を行う。
【００８９】
図１０のフローチャートに示す処方限度回数チェック処理では、図９のステップＳ９０１で抽出した同一処方番号のレコードのレコード数のカウントを行う（Ｓ１００１）。
【００９０】
なお、処方管理ファイル４０１は、１処方１レコードで生成されている。
【００９１】
つまり同一の処方番号のレコード数は、当該処方番号の処方情報の現時点までの処方回数となっている。
【００９２】
次に、処方条件テーブル３０３を参照し（Ｓ１００２）、対象患者の該当処方番号に関する処方条件である処方限度回数と、ステップＳ１００１でカウントしたレコード数とを比較する（Ｓ１００３）。
【００９３】
ステップＳ１００３の結果、カウントしたレコード数が処方限度回数を超えている場合、つまり処方が可能な最大回数に達している場合は、処方回数限度エラーＳ１００８となり、以後の処理を終了する。
【００９４】
カウントしたレコード数が処方限度回数より小さい場合、つまり処方が可能な最大回数に達していない場合は、新たなレコードを生成するため、処方シーケンス番号が一番大きい、つまり最新の処方のレコードをコピーし（Ｓ１００４）、処方シーケンス番号をカウントアップする（Ｓ１００５）。
【００９５】
新たに生成したレコードの処方日には、前回処方日であるコピー元のレコードの処方日が記憶されており、当該処方日に処方条件テーブル３０３の当該患者の該当処方番号の処方間隔（日）を加え算出した日付を有効期間の開始日とし、当該有効期間の開始日に所定の期間、例えば７日を加え算出した日付を有効期間の終了日として新たに生成したレコードの有効期間を更新する（Ｓ１００６）。
【００９６】
なお、
ステップＳ１００６で有効期間の更新が終了すると、新たに生成されたレコードの処方依頼日および処方日に記憶されたコピー元のレコードの内容をクリアする（Ｓ１００７）。
【００９７】
図１０に示す処方限度回数チェック処理が終了し、図９に示すステップＳ９０７に戻り、ステップＳ９０８において限度回数エラーか否かの判断を行い、限度回数エラーである場合は以後の処理を終了し、エラーで無い場合はステップＳ９０１に戻り、上述したスッテップＳ９０２〜Ｓ９０６の処理を行う。
【００９８】
図９に示す処方有効期間チェック処理が終了すると、図８に示すステップＳ８０４に戻り、処方依頼を行った患者の各処方番号のレコードに対してステップＳ８０３〜Ｓ８０４を繰り返し、全ての処方番号のレコードについて処理が完了すると（Ｓ８０２）、表示情報判定処理を終了する。
【００９９】
図８に示す表示情報判定処理が終了すると、図７に示すステップＳ７０２に戻り、ステップＳ７０３で、表示情報判定処理Ｓ７０２の結果、表示する処方情報が無い場合は、その旨を表示するエラー表示処理Ｓ７０８を行い、表示する処方情報がある場合には、表示処理Ｓ７０４を行う。
【０１００】
次に図１１のフローチャートを用いて表示処理Ｓ７０４の説明をする。
【０１０１】
上述した図９に示す処方有効期間チェック処理のステップＳ９０６で格納した表示対象の処方管理ファイルのレコードを読み込む（Ｓ１１０２）。
【０１０２】
次に、読み込んだレコードの患者番号および処方番号を基に、薬情報ファイル３０２から対応するレコードを抽出する（Ｓ１１０３）。
【０１０３】
ステップＳ１１０２で読み込んだ処方管理ファイルのレコードの処方依頼日が初期値でない場合、つまり既に患者からの処方依頼が行われている場合は、処方の有効期間を表示する位置に、処方依頼が行われた日付である処方依頼日と「お薬引き渡し待ち」等のメッセージを編集する（Ｓ１１０７）。
【０１０４】
次に、処方情報であるステップＳ１１０２で読み込んだ処方管理ファイルのレコードと、ステップＳ１１０３で抽出した薬情報ファイルのレコードとを編集した内容と、ステップＳ１１０７で編集した内容とをＨＴＭＬ形式に変換して、選択することができない状態にしてネットワークを介して患者の端末へ送信し画面上に表示させる（Ｓ１１０８）。
【０１０５】
すなわち、図１６に示す１６０４のように表示される。
【０１０６】
ステップＳ１１０４で、処方依頼日が初期値の場合、つまり患者が処方依頼を行っていない場合には、ステップＳ１１０２で読み込んだ処方管理ファイルのレコードと、ステップＳ１１０３で抽出した薬情報ファイルのレコードとから編集しＨＴＭＬ形式に変換した処方情報を、当該処方管理ファイルのレコードの有効期間の開始日が現在日付より後である場合、つまりまだ有効期間の範囲内になってない場合は、編集したＨＴＭＬ形式の処方情報を選択できない状態にしてネットワークを介して患者の端末へ送信し画面上に表示させる（Ｓ１１０８）。
【０１０７】
すなわち、図１６に示す１６０３のように表示される。
【０１０８】
ステップＳ１１０５で、当該処方管理ファイルのレコードの有効期間の開始日が現在日付以前である場合、つまり既に有効期間の範囲内になっている場合は、編集しＨＴＭＬ形式に変換した処方情報を選択可能な状態にしてネットワークを介して患者の端末へ送信し画面上に表示させる（Ｓ１１０６）。
【０１０９】
すなわち、図１６に示す１６０２のように表示される。
【０１１０】
ステップＳ１１０６およびステップＳ１１０８が終了すると、ステップＳ１１０１へ戻り、格納された表示対象の処方管理ファイルのレコードを全て処理するまで上記処理を繰り返す。
【０１１１】
図１１で示す表示処理が完了すると、患者は図１６の１６０１に示すような処方情報の一覧を参照して、選択可能な処方情報のうち処方依頼を希望する処方情報を選択し処方依頼を行う（図７ステップＳ７０５）。
【０１１２】
患者からの処方依頼がされると、薬品処方装置は図７に示すように処方情報公開処理Ｓ７０６を行う。
【０１１３】
次に図１２のフローチャートを用いて処方情報公開処理の説明をする。
【０１１４】
薬品処方装置は、患者からの処方依頼情報を受信すると（Ｓ１２０１）、処方管理ファイル４０１を参照し、対象となるレコードの処方依頼日を現在日付で更新する（Ｓ１２０２）。
【０１１５】
処方管理ファイルの処方依頼日に日付を記憶することにより当該処方情報が公開可能な状態となり、薬品処方装置は、後述する図１３に示す処方処理を実行することで調剤薬局の端末へ処方箋情報の公開が可能となる。
【０１１６】
図１２に示す処方情報公開処理が完了すると、図７に示すステップＳ７０６に戻り、薬品処方装置は処方依頼を行った患者の端末へ処方の依頼がされた処方情報の処方番号をＨＴＭＬ形式で送信し画面上に表示する処方番号通知処理Ｓ７０７を行う。
【０１１７】
なお、処方番号の通知手段としては、上述したような患者の端末画面上に表示するのではなく、電子メールを使用して患者のメールアドレスへ送信しても良い。
【０１１８】
図１２に示す処方番号通知処理が終了すると、図５に示すステップＳ５０２に戻り、処方限度回数エラーなどのエラーであるかの判定を行い（Ｓ５０３）、エラーで無い場合は、処方処理Ｓ５０４を、エラーの場合は以後の処理を行わず終了する。
【０１１９】
次に図１３のフローチャートを用いて処方処理の説明をする。
【０１２０】
調剤薬局の薬剤師は、処方情報公開処理により、公開状態となった処方情報を参照するために端末からネットワークを介して薬品処方装置へ接続を行った後、患者の患者番号および処方番号を入力し、当該患者番号および処方番号を含んだ処方箋表示依頼情報の送信を行う。
【０１２１】
薬品処方装置はこれを受信する（Ｓ１３０１）。
【０１２２】
薬品処方装置は、受信した処方箋表示依頼情報を基に、処方管理ファイル４０１を参照し、対象となるレコードの処方依頼日が初期値か否かの判定を行う（Ｓ１３０２）。
【０１２３】
初期値である場合、つまりまだ処方依頼がされていない場合は、調剤薬局で薬の処方を行うことができないため、薬品処方装置は、ネットワークを介してＨＴＭＬを送信し、調剤薬局の端末上に処方依頼未処理の旨のエラーメッセージ表示し（Ｓ１３０６）、以後の処理を終了する。
【０１２４】
初期値でない場合、つまり処方依頼が完了している場合は、薬品処方装置は、処方管理ファイルおよび薬情報ファイルの該当レコードを編集し、例えば通常使用している紙の処方箋の形式に編集し、ＨＴＭＬ形式に変換した処方箋情報を、ネットワークを介して送信し、調剤薬局の端末へ送信し画面上に表示させる（Ｓ１３０３）。
【０１２５】
調剤薬局では、薬剤師が画面上に表示された処方箋情報を基に、薬の処方を行い患者へ薬の引き渡しをする（Ｓ１３０４）。
【０１２６】
患者への薬の引き渡しが完了すると、薬剤師が端末から入力した処方完了情報を基に薬品処方装置は処方完了処理Ｓ１３０５を行う。
【０１２７】
次に図１４のフローチャートを用いて処方完了処理Ｓ１３０５の説明をする。
【０１２８】
薬品処方装置は、調剤薬局の端末から入力された患者の患者番号および処方番号を含む処方完了情報を、ネットワークを介して受信する（Ｓ１４０１）。
【０１２９】
薬品処方装置は、受信した処方完了情報を基に、処方管理ファイルを参照し、対象となるレコードの処方日を現在日付で更新する（Ｓ１４０２）。
【０１３０】
処方管理レコードの処方日に日付が記録されることで、当該処方情報の処方が完了となる。
【０１３１】
次に本発明の第二の実施例の形態に係る処方依頼処理を、図１７を用いて説明する。
【０１３２】
上述した第一の実施例では、薬品処方装置の薬局ファイルに登録された調剤薬局であれば、患者がどこの調剤薬局に出向いたとしても、処方を希望する処方番号と認証情報を提示することで処方が可能となる。
【０１３３】
しかし、第一の実施例の場合、薬剤師は患者が調剤薬局へ訪れたとき初めて薬の処方を開始するため、患者は処方をしている間待たされることになる。
【０１３４】
第二の実施例では、患者が薬の処方および受け取りを希望する調剤薬局を指定し、処方依頼と同時に処方箋情報を当該調剤薬局へ送信することで、患者の待ち時間を削減する。
【０１３５】
図１７に示す処方表示処理は、処方依頼を行った（Ｓ１７０５）後、処方薬局選択処理Ｓ１７０６、処方箋情報編集送信処理Ｓ１７０７を行う。
【０１３６】
それ以外のステップについては、第一の実施例で説明した図７に示す処方表示処理と同様である。
【０１３７】
処方薬局選択処理Ｓ１７０６は、まず図１６に示す処方情報を選択し処方依頼を行った後、例えば図１８に示す処方薬局選択画面を表示する。
【０１３８】
図１８に示す画面は、薬局ファイル３０２の情報を基に、ＨＴＭＬ形式の情報に変換したものを送信し、患者の端末画面上に表示したものである。
【０１３９】
患者は表示された処方可能な調剤薬局から希望する調剤薬局を選択する。
【０１４０】
なお、図１８には記載はないが、調剤薬局を選択する際、受け取り希望日を入力するようにしても良い。
【０１４１】
処方薬局選択処理Ｓ１７０６が終了すると、薬品処方装置は、ステップＳ１７０５で選択された処方情報を基に、例えば通常使用している紙の処方箋の形式に編集した処方箋情報を、ステップＳ１７０６で選択した調剤薬局のメールアドレスへ電子メールを、ネットワークを介して送信する（Ｓ１７０７）。
【０１４２】
これにより、処方依頼と同時に調剤薬局へ処方箋情報が送信されるため、事前に薬品の処方をすることが可能となる。
【０１４３】
次に本発明の第三の実施例の形態に係る処理関係を、図１９を用いて説明する。
【０１４４】
上述した第一および第二の実施例では、患者から処方依頼されることにより、調剤薬局へ処方指示を行い、調剤薬局が処方処理を行う実施例であるが、第三の実施例では患者が処方依頼をすることなく処方が可能となる処方装置について説明する。
【０１４５】
まず、第一および第二の実施例と同様に、医師が患者２０１へ処方する処方情報および処方条件を端末より入力する（１９０４）。
【０１４６】
患者１９０１は、薬の残量が残り少なくなると、新たに前回と同様の薬の処方が必要となるため、端末から薬品処方装置１９０２へアクセスを行い、薬品処方装置１９０２は当該患者１９０１の処方情報を患者の端末へ送信する（１９０５）。
【０１４７】
この時、患者の端末へ送信する処方情報は、第一および第二の実施例で説明した有効期間チェックおよび処方限度回数チェックを行った結果、医師が決定した処方条件を満たしている処方情報のみを送信する。
【０１４８】
患者１９０１は受信し端末に表示された処方情報の内容を確認し、処方を希望する薬が処方可能であるかを確認する。
【０１４９】
薬の処方が可能であった場合、患者１９０１は、調剤薬局のうち最寄りの調剤薬局１９０３へ出向き、個人の認証情報、例えば診察券などと一緒に、薬の処方が可能か否かの確認の際に画面に表示されていた処方番号を提示する（１９０６）。
【０１５０】
なお、患者１９０１が事前に処方可能か否かの確認を行わず、直接調剤薬局へ出向いても良い。
【０１５１】
提示を受けた薬剤師は、端末から患者の患者番号を入力して薬品処方装置１９０２より処方情報を受信する（１９０７）。
【０１５２】
薬剤師は、受信した処方情報の確認を行い、処方が可能か否かのチェックをして、薬の処方を行い患者１９０１に引き渡す（１９０８）。
【０１５３】
患者１９０１へ薬の引渡しが終わると、薬剤師は端末から処方完了情報を薬品処方装置１９０２へ送信する（１９０９）。
【０１５４】
次に図２０のフローチャートを用いて本発明の第三の実施例の形態に係るメイン処理を説明する。
【０１５５】
第一および第二の実施例と同様に、医療関係機関に属する医師が担当患者へ処方する処方情報および処方条件を登録する処方情報登録処理Ｓ２００１を行う。
【０１５６】
次に、患者は新たにの薬の処方が可能か否かの確認をするため、処方表示処理Ｓ２００２を行う。
【０１５７】
なお、上述した様に、患者が薬の処方が可能か否かの確認をすることは必須ではない。
【０１５８】
次に、調剤薬局は患者が薬を受け取りに訪れると、当該患者の処方情報を確認するため、処方表示処理Ｓ２００２を行う。
【０１５９】
処方表示処理Ｓ２００２を行った後エラー判定を行い（Ｓ２００３）、エラーである場合は以後のステップを行わず処理を終了し、エラーでない場合は次のステップを行う。
【０１６０】
薬剤師はステップＳ２００２で表示された処方情報の確認の結果、薬の処方を行い、引渡しをした場合は、処方完了処理Ｓ２００５を行い、処方の有効期間外の処方情報など、処方が行えない場合はステップＳ２００２に戻る（Ｓ２００４）。
【０１６１】
次に図２１のフローチャートを用いて処方表示処理の説明をする。
【０１６２】
薬品処方装置は、患者の端末もしくは調剤薬局の端末から患者の処方情報の表示依頼を受信する（Ｓ２１０１）
次に、当該患者の処方情報に対して表示するべきものか否かをチェックする表示情報判定処理Ｓ２１０２を行う。
【０１６３】
なお、表示情報判定処理Ｓ２１０２は、上述した第一および第二の実施例で説明したものと同様であり、これは当該処理内で実行される処方有効期間チェック処理および処方限度回数チェック処理についても同じである。
【０１６４】
表示情報判定処理Ｓ２１０２の結果、表示対象の処方情報が存在するか否かの判定を行い（Ｓ２１０３）、存在しない場合はステップＳ２１０５でエラー表示処理を行い、存在する場合はステップＳ２１０４の表示処理を行う。
【０１６５】
次に図２２のフローチャートを用いて表示処理の説明をする。
【０１６６】
処方有効期間チェック処理で格納した表示対象の処方管理ファイルのレコードを読み込む（Ｓ２２０２）。
【０１６７】
次に、読み込んだレコードの患者番号および処方番号を基に、薬情報ファイル３０２から対応するレコードを抽出する（Ｓ２２０３）。
【０１６８】
ステップＳ２２０２で読み込んだ処方管理ファイルと、ステップＳ２２０３で抽出した薬情報ファイルとを基に処方情報を編集しＨＴＭＬ形式に変換後（Ｓ２２０４）、患者の端末もしくは調剤薬局の端末へ送信し表示させる（Ｓ２２０５）。
【０１６９】
ステップＳ２２０４で編集する際、患者の端末からの表示依頼なのか調剤薬局からの表示依頼なのか判断し、例えば調剤薬局の端末からの表示依頼の場合は通常扱っている紙の処方箋のイメージに編集するなど、それぞれで編集内容を変えても良い。
【０１７０】
次に図２３の画面表示例を用いて患者の端末または調剤薬局の端末に表示される処方情報の説明をする。
【０１７１】
図２３に示す処方情報一覧は、処方表示処理を実行して表示される。
【０１７２】
２３０２、２３０３、２３０４それぞれの処方情報の左側には各処方情報を識別する処方番号が表示されている。
【０１７３】
患者または薬剤師は当画面を参照し、対象の処方情報が現時点で処方可能かを確認する。
【０１７４】
なお、ここで表示される処方情報は、表示情報判定処理の結果必要な情報のみを表示しており、まだ処方の有効期間の開始日に至っていない処方情報も表示されているため、例えば処方が可能な処方情報についてのみ、処方番号の表示を行ったり、異なる色で処方情報の表示したり、「処方可」と表示するなどして判りやすく表示させるようにしても良い。
【０１７５】
なお、上述したように、調剤薬局の端末へ表示する場合は、図２３に示す処方情報一覧ではなく、処方箋形式での表示をしても良い。
【０１７６】
このようにして、表示された処方情報を基に薬剤師は薬の処方を行い、患者へ引き渡す。
【０１７７】
患者へ薬の引き渡しが完了すると、薬剤師は処方完了処理を行う。
【０１７８】
処方完了処理については、上述した第一および第二の実施例と同様である。
【０１７９】
また、上記の薬品処方装置は、コンピュータで読み取り可能な記録媒体に記録させておくことが可能である。このプログラムをコンピュータで実行することにより実現することができる。コンピュータで読み取り可能な記録媒体としては、磁気記録装置や半導体メモリなどがある。市場に流通させる場合には、ＣＤ−ＲＯＭ（Ｃｏｍｐａｃｔ　ＤｉＳｋ　Ｒｅａｄ　Ｏｎｌｙ　Ｍｅｍｏｒｙ）やフロッピーディスクなどの可搬型記録媒体にプログラムを格納して流通させることや、ネットワークを通じて他のコンピュータに転送することもできる。
（付記１）
患者の処方情報と該処方情報毎の有効期間とを登録する登録手段と、
前記処方情報の取得依頼を所定の端末から受信する手段と、
現在日付が前記処方情報の有効期間内であるかチェックする判定手段と、
前記判定手段において、有効期間内である場合に前記処方情報を前記所定の端末へ送信する送信手段と、
を備えることを特徴とする薬品処方装置。
（付記２）
前記登録手段において、前記処方情報の処方が可能な回数である処方限度回数を登録し、
前記判定手段は、前記処方情報の処方回数が前記処方限度回数に達していないかチェックすることを特徴とする請求項１記載の薬品処方装置。
（付記３）
前記登録手段において、前記処方情報の処方が可能な間隔である処方間隔を登録し、
前記有効期間は、前回前記処方情報の処方を行った日と前記処方間隔とを基に生成することを特徴とする請求項１から２のいずれか１項に記載の薬品処方装置。
（付記４）
前記送信手段において、前記有効期間の開始日が現在日付以降の処方情報と該有効期間とを送信することを特徴とする請求項１から３のいずれか１項に記載の薬品処方装置。
（付記５）
前記医療関係機関の端末から前記患者へ処方した薬品の引渡しが完了したことを表す処方完了情報を受信し登録することを特徴とする請求項１から４いずれか１項に記載の薬品管理装置。
（付記６）
患者の端末から、前記送信処理で送信した前記処方情報の処方を依頼する処方依頼情報を受信し、処方の依頼をされた該処方情報を医療関係機関へ公開することを特徴とする請求項１から５いずれか１項に記載の薬品管理装置。
（付記７）
患者の端末から、前記送信処理で送信した前記処方情報の処方を依頼する処方依頼情報と薬の処方を希望する医療関係機関の情報とを受信し、処方の依頼をされた該処方情報を、前記処方を希望する医療関係機関に公開することを特徴とする請求項１から６いずれか１項に記載の薬品管理装置。
（付記８）
薬品処方装置の処方方法であって、
前記処方装置が、
患者の処方情報と該処方情報毎の有効期間とを登録する登録ステップと、
前記処方情報の取得依頼情報を所定の端末から受信するステップと、
現在日付が前記処方情報の有効期間内であるかチェックする判定ステップと、前記判定ステップにおいて、有効期間内である場合に前記処方情報を前記所定の端末へ送信する送信ステップと、
を備えることを特徴とする薬品処方装置。
（付記９）
コンピュータに、
患者の処方情報と該処方情報毎の有効期間とを登録する登録ステップと、
前記処方情報の取得依頼情報を所定の端末から受信するステップと、
現在日付が前記処方情報の有効期間内であるかチェックする判定ステップと、前記判定ステップにおいて、有効期間内である場合に前記処方情報を前記所定の端末へ送信する送信ステップと、
を動作させることを特徴とする薬品処方プログラム。
（付記１０）
コンピュータに、
患者の処方情報と該処方情報毎の有効期間とを登録する登録ステップと、
前記処方情報の取得依頼情報を所定の端末から受信するステップと、
現在日付が前記処方情報の有効期間内であるかチェックする判定ステップと、前記判定ステップにおいて、有効期間内である場合に前記処方情報を前記所定の端末へ送信する送信ステップと、
を動作させることを特徴とする薬品処方プログラムを記録したコンピュータ読み取り可能な記憶媒体。
【０１８０】
【発明の効果】
上記の構成により、患者は定期的に病院へ出向き、診療を行って薬を受け取る必要が無く、また登録されている調剤薬局であれば処方が可能であるため、病院への交通費、移動時間、病院での待ち時間を軽減することが可能となる。また、医師が許可した処方の依頼が可能な期間のみ処方が可能となるため、過剰服用につながる過剰投与を避け、患者へ安全な薬の提供を行うことができる。さらに、患者の症状や服用する薬によって、診療せずに処方できる限度回数を設けることにより、患者への負担をさらに軽減する効果も奏する。
【図面の簡単な説明】
【図１】本発明のシステム概要図である。
【図２】本発明の処理概要を示す関係図である。
【図３】患者ファイル、薬局ファイル、処方条件テーブルの一例を示す図である。
【図４】処方管理ファイル、薬情報局ファイルの一例を示す図である。
【図５】メイン処理の流れを示すフローチャートである。
【図６】処方情報登録処理の流れを示すフローチャートである。
【図７】処方表示処理の流れを示すフローチャートである。
【図８】表示情報判定処理の流れを示すフローチャートである。
【図９】処方有効期間チェック処理の流れを示すフローチャートである。
【図１０】処方限度回数チェック処理の流れを示すフローチャートである。
【図１１】表示処理の流れを示すフローチャートである。
【図１２】処方情報公開処理の流れを示すフローチャートである。
【図１３】処方処理の流れを示すフローチャートである。
【図１４】処方完了処理の流れを示すフローチャートである。
【図１５】処方条件設定画面の一例を示す図である。
【図１６】処方表示画面の一例を示す図である。
【図１７】処方表示処理（実施例２）の流れを示すフローチャートである。
【図１８】調剤薬局選択画面の一例を示す図である。
【図１９】本発明の処理概要を示す関係図（実施例３）である。
【図２０】メイン処理（実施例３）の流れを示すフローチャートである。
【図２１】処方表示処理（実施例３）の流れを示すフローチャートである。
【図２２】表示処理（実施例３）の流れを示すフローチャートである。
【図２３】処方表示画面（実施例３）の一例を示す図である。
【符号の説明】
１０１　　　　薬品処方装置
１０２　　　　ＨＴＭＬ
１０３　　　　患者情報登録プログラム
１０４　　　　処方情報登録プログラム
１０５　　　　処方条件登録プログラム
１０６　　　　表示情報判定プログラム
１０７　　　　処方情報公開プログラム
１０８　　　　処方箋表示プログラム
１０９　　　　処方完了登録プログラム
１１０　　　　患者ファイル
１１１　　　　処方条件テーブル
１１２　　　　処方管理ファイル
１１３　　　　薬情報ファイル
１１４　　　　薬局ファイル
１１５　　　　ネットワーク
１１６　　　　医療関係機関
１１７　　　　患者
【図１】
2004029985.tif 000003
【図２】
2004029985.tif 000004
【図３】
2004029985.tif 000005
【図４】
2004029985.tif 000006
【図５】
2004029985.tif 000007
【図６】
2004029985.tif 000008
【図７】
2004029985.tif 000009
【図８】
2004029985.tif 000010
【図９】
2004029985.tif 000011
【図１０】
2004029985.tif 000012
【図１１】
2004029985.tif 000013
【図１２】
2004029985.tif 000014
【図１３】
2004029985.tif 000015
【図１４】
2004029985.tif 000016
【図１５】
2004029985.tif 000017
【図１６】
2004029985.tif 000018
【図１７】
2004029985.tif 000019
【図１８】
2004029985.tif 000020
【図１９】
2004029985.tif 000021
【図２０】
2004029985.tif 000022
【図２１】
2004029985.tif 000023
【図２２】
2004029985.tif 000024
【図２３】
2004029985.tif 000025